(57)【特許請求の範囲】
【請求項１】
充電器本体に充電すべきバッテリを接続し、低い電流値の予備電流を流し、その後に前記バッテリの電圧を検出し、充電モードに移行して前記バッテリに対して充電を行い、
当該充電モード中に前記バッテリが満充電近くまで達したときに、一定の電圧で充電を行う定電圧充電モードに移行する充電方法に適用され、
充電中の温度上昇により前記充電器本体が破損して使用できなくなる程度の温度を許容最高温度として予め記憶し、
前記充電モードの開始直後に流す初期充電電流値を、前記充電器本体の回路上許される最大電流値とし、
前記定電圧充電モードまでに前記充電器本体の温度が前記許容最高温度に達しないように徐々に前記電流値を下げ、
前記定電圧モードに移行する手前の電流値を、充電開始以降最も低く、且つ、前記充電器本体の温度が前記許容最高温度に近接した温度を保持するような電流値とすることを特徴とする急速充電方法。
【請求項２】
当該電流値の下げ工程は、前記電流値を下げた直後であっても前記充電器本体の温度が所定時間上昇を続けることを考慮しながら行うことを特徴とする請求項１に記載の急速充電方法。
【請求項３】
前記充電モード中に前記充電器本体の温度が前記許容最高温度に達したときに、充電を停止することを特徴とする請求項１又は２に記載の急速充電方法。
【請求項４】
前記初期充電電流値で充電中に、前記充電器本体温度が所定温度まで達しないときに、充電を停止することを特徴とする請求項１〜３のいずれかに記載の急速充電方法。
【請求項５】
請求項１〜４のいずれかに記載の急速充電方法に用いる充電器であって、前記充電器本体表面又は当該充電器本体を構成する発熱部品に温度検知装置が取り付けられることを特徴とする充電器。
【発明の詳細な説明】
【技術分野】
【０００１】
この発明は、バッテリの充電時間を短縮するための急速充電方法に関するものである。
【背景技術】
【０００２】
図８は従来のバッテリ充電方法における（Ａ）は充電器本体の温度と時間、（Ｂ）は充電電流値と時間との関係を示すグラフ図である。なお、グラフでは予備電流による工程については省略している。
【０００３】
従来の充電方法では、予備電流を流してバッテリの電圧を検出し、定電流充電モード（時間ａ〜ｂ）に入る。バッテリへの充電は、この定電流モードと、充電終了間際の定電圧モード（時間ｂ〜ｄ）の工程を経て行われる。定電流モードは、一定の電流で充電するものであり、開始直後は通電とともに充電器本体の温度が上昇する。ある程度まで充電器本体温度が上昇すると、そこで一定となり、そのまま定電流で充電される。この充電電流値は、定電圧モードに移行する時間（時間ｂ）までに、充電中の温度上昇により、充電器本体が破損して使用できなくなる程度の温度（許容最高温度Ｔ４）に達しないような電流値となるように定められる。
【０００４】
定電圧モードは、電圧が充電終了電圧近くまで達したときに、この電圧を上限にして固定し、定電圧で充電するものである。その定電圧充電状態で時間が経過するにつれて電池が充電され、充電電流は自然に減少する（時間ｂ〜ｃ）。これに伴い、充電器本体温度は下降する。この後、充電電流は、ある時点で一定の電流値５とされる（時間ｃ）。このときのわずかな充電電流値５で充電し、満充電となったときに充電を終了する（時間ｄ）。この間においても、充電器本体温度は徐々に下降していく。この定電圧モードを行うことにより、バッテリの寿命を長期化できる。
【０００５】
しかしながら、定電流充電モードの開始直後は、充電器本体の温度は冷えていて、許容最高温度までの温度上昇幅に余裕がある。それにもかかわらず、充電電流値は、充電器本体が許容最高温度に達しない程度の電流値による一定電流での充電である。このため、定電流充電モード初期の充電器本体の温度上昇幅の余裕に対して、充電電流値が低いものとなっている。したがって、結果的に充電に時間がかかっている状況となっている。
【０００６】
充電電圧の切替え設定方式が特許文献１に開示されている。しかしながら、特許文献１の段落００２０及び図４には、上述した充電方法と同様な、定電流充電後に定電圧充電を行う充電シーケンスが記載され、やはり充電に時間がかかる充電方法である。
【０００７】
【特許文献１】特開２００７−６０７７２号公報
【発明の開示】
【発明が解決しようとする課題】
【０００８】
この発明は、上記従来技術を考慮したものであって、できる限り高い電流値で充電を行い、充電時間を短縮することができる急速充電方法及びこれに用いる充電器を提供することを目的とする。
【課題を解決するための手段】
【０００９】
前記目的を達成するため、請求項１の発明では、充電器本体に充電すべきバッテリを接続し、低い電流値の予備電流を流し、その後に前記バッテリの電圧を検出し、充電モードに移行して前記バッテリに対して充電を行い、当該充電モード中に前記バッテリが満充電近くまで達したときに、一定の電圧で充電を行う定電圧充電モードに移行する充電方法に適用され、充電中の温度上昇により前記充電器本体が破損して使用できなくなる程度の温度を許容最高温度として予め記憶し、前記充電モードの開始直後に流す初期充電電流値を、前記充電器本体の回路上許される最大電流値とし、前記定電圧充電モードまでに前記充電器本体の温度が前記許容最高温度に達しないように徐々に前記電流値を下げ、前記定電圧モードに移行する手前の電流値を、充電開始以降最も低く、且つ、前記充電器本体の温度が前記許容最高温度に近接した温度を保持するような電流値とすることを特徴とする急速充電方法を提供する。
【００１０】
請求項２の発明では、当該電流値の下げ工程は、前記電流値を下げた直後であっても前記充電器本体の温度が所定時間上昇を続けることを考慮しながら行うことを特徴としている。
【００１１】
請求項３の発明では、前記充電モード中に前記充電器本体の温度が前記許容最高温度に達したときに、充電を停止することを特徴としている。
【００１２】
請求項４の発明では、前記初期充電電流値で充電中に、前記充電器本体温度が所定温度まで達しないときに、充電を停止することを特徴としている。
【００１３】
さらに、請求項５の発明では、請求項１〜４のいずれかに記載の急速充電方法に用いる充電器であって、前記充電器本体表面又は当該充電器本体を構成する発熱部品に温度検知装置が取り付けられることを特徴とする充電器を提供する。
【発明の効果】
【００１４】
請求項１の発明によれば、充電モードと定電圧充電モードを有する充電方法において、充電中の温度上昇により充電器本体が破損して使用できなくなる程度の温度を許容最高温度として予め記憶するため、この許容最高温度を基準とした充電制御が可能となる。また、充電モードの開始直後に流す初期充電電流値を、充電器本体の回路上許される最大電流値（許容最高温度に達する電流値）とし、定電圧充電モードまでに充電器本体の温度が許容最高温度に達しないように徐々に電流値を下げて電流値を制御する。このため、充電モード開始から高い電流値を流して、その後徐々に電流値を下げ、充電器本体温度が許容最高温度に達しない程度の高い電流を流して充電を行うことができる。したがって、充電時間を大幅に短縮することができる。
【００１５】
請求項２の発明によれば、電流値の下げ工程は、電流値を下げた直後であっても充電器本体の温度が所定時間上昇を続けることを考慮しながら行うため、電流を下げたにもかかわらず充電器本体温度が許容最高温度に達してしまうことを防止できる。
【００１６】
請求項３の発明によれば、充電モード中に充電器本体の温度が許容最高温度に達したときに、充電を停止する。このため、充電器本体の破損を確実に防止して充電時間の短縮を図ることができる。
【００１７】
請求項４の発明によれば、充電モード開始時の初期充電電流値で充電中に、充電器本体温度が所定温度まで達しないときに、充電を停止する。高い電流値である充電電流を流しているにもかかわらず、充電器本体温度が所定温度まで達しないときは、充電器本体に何らかの故障が生じていると考えられる。このため、充電器本体の故障を検知して無駄な充電を防止できる。
【００１８】
請求項５の発明によれば、充電器本体表面又は充電器本体を構成する発熱部品に温度検知装置が取り付けられるため、検知された温度をもとにして電流値を制御し、充電時間の短縮を図ることができる。特に、最も発熱しやすい箇所に温度検知装置を取り付ければ、より確実に充電器本体の温度上昇による破損を防止することができる。
【発明を実施するための最良の形態】
【００１９】
この発明は、充電器本体に充電すべきバッテリを接続し、低い電流値の予備電流を流し、その後に前記バッテリの電圧を検出し、充電モードに移行して前記バッテリに対して充電を行い、当該充電モード中に前記バッテリが満充電近くまで達したときに、一定の電圧で充電を行う定電圧充電モードに移行する充電方法に適用され、充電中の温度上昇により前記充電器本体が破損して使用できなくなる程度の温度を許容最高温度として予め記憶し、前記充電モードの開始直後に流す初期充電電流値を、前記充電器本体の回路上許される最大電流値とし、前記定電圧充電モードまでに前記充電器本体の温度が前記許容最高温度に達しないように徐々に前記電流値を下げ、前記定電圧モードに移行する手前の電流値を、前記充電器本体の温度が前記許容最高温度に近接した温度を保持するような電流値とする急速充電方法及びこれに用いる充電器である。
【実施例１】
【００２０】
図１はこの発明に係る急速充電方法を用いてバッテリに対し充電を行ったときの例を示し、（Ａ）は充電器本体の温度と時間、（Ｂ）は充電電流値と時間との関係を示すグラフ図である。なお、グラフでは予備電流による工程については省略している。また、各実施例ごとにＴ１〜Ｔ４、１〜５の値は異なる場合がある。
【００２１】
この発明に係る急速充電方法は、充電モード（時間ａ〜ｅ）と、定電圧充電モード（時間ｅ〜ｇ）で構成される。グラフに示すように、バッテリへの充電を開始した時（時間ａ）、すなわち充電モードの開始直後、初期充電電流値１の電流で充電される。この電流値１は、充電器本体が回路（サイリスタ等）上許す最大電流値（短時間で充電器本体が許容最高温度Ｔ４に達する程度の非常に高い電流値）である。この許容最高温度は、経験則やシミュレーションにより求めることができる。したがって、初期充電電流値１で充電すると、充電器本体の温度は急激に上昇する。
【００２２】
充電器本体の温度がＴ１まで達すると（時間ｂ）、充電電流を１より低い２に変更する。この電流値２も、高い電流値であるため、充電器本体の温度は上昇を続ける。続いて、充電器本体の温度がＴ２まで達すると（時間ｃ）、充電電流を２より低い３に変更する。これにより、３に変更後、しばらくすると充電器本体の温度上昇の勾配が緩やかになる。このように、高い電流から低い電流に切り換えた直後に、充電器本体の温度が急には減少せず、所定時間上昇を続けることを考慮して、非常に高い電流値１から電流値を３にする前に、一旦１と３の間の電流値２を流すことにより、（Ａ）に示すように、３に変更した後の充電器本体の温度上昇を緩やかにでき、充電器本体は許容最高温度Ｔ４には達しないことになる。
【００２３】
さらに、充電器本体温度がＴ３に達したら（時間ｄ）、充電電流を３より低い４に変更する。この４は、充電器本体の温度が許容最高温度Ｔ４に近接した状態を保持できる程度の電流値である。これにより、時間ｄ〜ｅについては、充電器本体の温度が許容最高温度に達しない範囲においての最大電流を流すことができ、急速な充電が可能となる。
【００２４】
このような充電方法を行うことにより、充電時間を短縮することができる。特に、従来のような定電流充電ではなく、初期充電電流値を大電流として、その後徐々に電流値を下げることにより、その効果を得るものである。図における４の電流を流せば、所定時間経過後に充電器本体が許容最高温度Ｔ４に近接した温度を保持（サーチレート）して充電できる。この発明は、この４を後述する定電圧モードに移行する前の電流値とし、この４を流すまで（充電器本体温度が許容最大温度Ｔ４に近づくまで）の時間の短縮を図るものである。そのために、４よりも高い電流（１）を流して充電初期の温度上昇の勾配を急にしている。さらに、高い電流から低い電流に切り換えた直後に、充電器本体の温度が急には減少せず、所定時間上昇を続けることを考慮して、徐々に電流値を下げて、充電器本体の温度がＴ４には達しない程度に、しかしＴ４に近接した温度を保持した状態での充電を可能にするものである。
【００２５】
充電電流４で充電を続け、バッテリが満充電近くまで達すると（時間ｅ）、定電圧充電モードに移行する。この定電圧充電モードでは、満充電におけるバッテリの電圧を上限にして固定し、定電圧で充電される。その定電圧充電状態で電池が充電され、その間に充電電流は自然に減少する（時間ｅ〜ｆ）。これに伴い、充電器本体温度は下降する。この後、充電電流は、ある時点で一定の低い電流値５とされる（時間ｆ）。このわずかな充電電流値５で充電し、満充電となったときに充電を終了する（時間ｇ）。この間（時間ｆ〜ｇ）においても、充電器本体温度は徐々に下降していく。この定電圧モードを行うことにより、バッテリの寿命を長期化できる。
【実施例２】
【００２６】
図２はこの発明に係る急速充電方法を用いてバッテリに対し充電を行ったときの別の例を示し、（Ａ）は充電器本体の温度と時間、（Ｂ）は充電電流値と時間との関係を示すグラフ図である。なお、グラフでは予備電流による工程については省略している。
【００２７】
この発明に係る急速充電方法は、充電モード（時間ａ〜ｅ）と、定電圧充電モード（時間ｅ〜ｇ）で構成される。グラフに示すように、バッテリへの充電を開始した時（時間ａ）、すなわち充電モードの開始直後、初期充電電流値１の電流で充電される。この電流値１は、短時間で充電器本体が許容最高温度に達する程度の非常に高い電流値である。この許容最高温度は、経験則やシミュレーションにより求めることができる。したがって、初期充電電流値１で充電すると、充電器本体の温度は急激に上昇する。
【００２８】
充電器本体の温度がＴ１まで達すると（時間ｂ）、充電電流を１より低い２に変更する。これにより、２に変更後、しばらくすると充電器本体の温度上昇の勾配が緩やかになる。さらに充電を続け、充電器本体の温度がＴ２まで達すると（時間ｃ）、充電電流を２より低い３に変更する。この変更によって、充電器本体の温度上昇の勾配はさらに緩やかになる。さらに充電を続け、充電器本体の温度がＴ３まで達すると（時間ｄ）、充電電流を３より低い４に変更する。この変更によって、充電器本体の温度上昇の勾配はさらに緩やかになる。
【００２９】
充電電流４で充電を続け、バッテリが満充電近くまで達すると（時間ｅ）、定電圧充電モードに移行する。この定電圧充電モードでは、満充電におけるバッテリの電圧を上限にして固定し、定電圧で充電される。その定電圧充電状態で電池が充電され、その間に充電電流は自然に減少する（時間ｅ〜ｆ）。これに伴い、充電器本体温度は下降する。この後、充電電流は、ある時点で一定の低い電流値５とされる（時間ｆ）。このわずかな充電電流値５で充電し、満充電となったときに充電を終了する（時間ｇ）。この間（時間ｆ〜ｇ）においても、充電器本体温度は徐々に下降していく。この定電圧モードを行うことにより、バッテリの寿命を長期化できる。
【００３０】
このような充電方法を行うことにより、充電時間を短縮することができる。特に、従来のような定電流充電ではなく、初期充電電流値を大電流として、その後徐々に電流値を下げることにより、その効果を得るものである。大電流を流すことによって、充電時間中に充電器本体が許容最高温度Ｔ４に達してしまうことは、充電器本体の温度を段階的に検知（Ｔ１〜Ｔ３）し、その温度に合わせて徐々に電流値を下げていく（１〜４）ことで防止している。充電器本体の温度を段階的に検知して徐々に電流値を下げる理由は、１のような大電流で充電し、急に電流値を下げたとしても、充電器本体の温度上昇が急に止まるわけではないため、その上昇勾配を考慮に入れて、充電器本体が許容最高温度Ｔ４に達しないようにするためである。このような電流値制御を行うことにより、充電器本体の温度は、限りなく許容最高温度Ｔ４に近づこうとする。したがって、許容最高温度Ｔ４に達しない程度で極限まで大電流を流す制御が可能となり、充電時間を大幅に短縮することができる。実施例２は、定電圧充電モードに移行するまでに充電器本体の温度が下がらず、充電器本体の温度が許容最高温度に限りなく近づくように極限まで充電電流値を高めるように制御できた例を示している。
【実施例３】
【００３１】
図３はこの発明に係る急速充電方法を用いてバッテリに対し充電を行ったときのさらに別の例を示し、（Ａ）は充電器本体の温度と時間、（Ｂ）は充電電流値と時間との関係を示すグラフ図である。なお、グラフでは予備電流による工程については省略している。
【００３２】
グラフに示すように、時間ｄにおいて充電器本体の温度がＴ３まで達し、充電電流が３から４に変更されるまでは実施例２と同様である。この後、時間ｄからｅにかけて、充電器本体の温度が下がった場合を示している（実際には時間ｄから所定時間は充電器本体の温度は上昇を続ける）。この場合においても、電流値はそのままの４で充電し、時間ｅで定電圧充電モードに移行する。実施例３では、時間ｄ〜ｅにかけて、充電器本体温度が下がったため（充電器本体の温度が可能な限り許容最高温度近くまで上昇していないため）、極限まで大電流を通電して充電できたものではない。しかし、この時間帯よりも、充電初期の充電時間ａ〜ｃにかけて、大電流１、２で充電できたことのほうが充電時間の短縮への寄与度は大きい。このため、全体の充電時間としては実施例２とそれほど変わっていない。
【実施例４】
【００３３】
図４はこの発明に係る急速充電方法を用いてバッテリに対し充電を行ったときのさらに別の例を示し、（Ａ）は充電器本体の温度と時間、（Ｂ）は充電電流値と時間との関係を示すグラフ図である。なお、グラフでは予備電流による工程については省略している。
【００３４】
グラフに示すように、時間ｄにおいて充電器本体の温度がＴ３まで達し、充電電流が３から４に変更されるまでは実施例２と同様である。しかしながら、時間ｅにおいて、充電器本体の温度が許容最高温度Ｔ４に達してしまったため、充電を中止している。すなわち、Ｔ４に達した時点（時間ｅ）で充電電流をゼロとしている。これにより、充電器本体の温度はこの後徐々に低下していく。この発明に係るバッテリ充電方法は、充電器本体の温度をできる限り許容最高温度に近づけるように大電流を流して充電時間の短縮を図るものであるため、万が一充電器本体の温度が許容最高温度に達してしまったときに、このようにして即時に充電を中止し、充電器本体の破損を確実に防止している。
【実施例５】
【００３５】
図５はこの発明に係る急速充電方法を用いてバッテリに対し充電を行ったときのさらに別の例を示し、（Ａ）は充電器本体の温度と時間、（Ｂ）は充電電流値と時間との関係を示すグラフ図である。なお、グラフでは予備電流による工程については省略している。
【００３６】
グラフに示すように、充電開始時（時間ａ）に大電流１を流して充電を開始したにもかかわらず、充電器本体温度が所定温度（Ｔ０）まで達しないときは、充電器本体に何らかの故障が生じていると考えられる。このため、充電を中止する。図では、時間ｃで充電を中止した例を示している。この充電中止のタイミングは、所定温度（Ｔ０）まで達しない時間を個別に定めて適宜変更可能である。これにより、充電器本体の故障を予め検知することができ、無駄な充電を防止できる。
【００３７】
図６はこの発明に係る急速充電方法のフローチャートである。
【００３８】
ステップＳ１：
充電器本体にバッテリを接続した後、この接続が確実に行われているか等の情報を得るためにわずかな電流（予備電流）を流す。この工程は、一般的な充電方法で用いられているものと同様の工程である。
【００３９】
ステップＳ２：
バッテリの電圧を検出する。この検出は、例えば充電器本体に備わる電圧センサ等により行われる。
【００４０】
ステップＳ３：
ステップＳ２で検出したバッテリ電圧が所定値以上か否かを判断する。
【００４１】
ステップＳ４：
ステップＳ３でバッテリ電圧が所定値以下の場合、充電器本体の温度を検出する。この検出は、充電器本体に備わる温度センサ（温度検知装置）等を用いて行われる。
【００４２】
ステップＳ５：
充電器本体温度がＴ４、すなわち充電器本体が破損して使用できなくなる程度の温度に達しているか否かを判断する。
【００４３】
ステップＳ６：
ステップＳ５で充電器本体が許容最高温度（Ｔ４）に達していた場合、充電を停止（中止）する。
【００４４】
ステップＳ７：
ステップＳ５で充電器本体が許容最高温度（Ｔ４）に達していない場合、Ｔ４より低い温度である温度Ｔ３以上であるか否かを判断する。
【００４５】
ステップＳ８：
ステップＳ７で充電器本体が温度Ｔ３に達していた場合、充電電流値を４にしてバッテリに対して充電する。その後、ステップＳ２に戻る。
【００４６】
ステップＳ９：
ステップＳ７で充電器本体が温度Ｔ３に達していない場合、Ｔ３より低い温度である温度Ｔ２以上であるか否かを判断する。
【００４７】
ステップＳ１０：
ステップＳ９で充電器本体が温度Ｔ２に達していた場合、充電電流値を４より高い３にしてバッテリに対して充電する。その後、ステップＳ２に戻る。
【００４８】
ステップＳ１１：
ステップＳ９で充電器本体が温度Ｔ２に達していない場合、Ｔ２より低い温度である温度Ｔ１以上であるか否かを判断する。
【００４９】
ステップＳ１２：
ステップＳ１１で充電器本体が温度Ｔ１に達していた場合、充電電流値を３より高い２にしてバッテリに対して充電する。その後、ステップＳ２に戻る。
【００５０】
ステップＳ１３：
ステップＳ１１で充電器本体が温度Ｔ１に達していない場合、充電電流値を２より高い１にしてバッテリに対して充電する。その後、ステップＳ２に戻る。
【００５１】
ステップＳ１４：
ステップＳ３でバッテリ電圧が所定値以上の場合、すなわちバッテリの満充電近くの電圧値まで達している場合、定電圧充電モードに移行し、当該電圧値で充電を行う。
【００５２】
ステップＳ１５：
充電電流が所定電流値以下か否かを判断する。定電圧充電では、充電電流が自然と低下していくため、これが定められた低電流値以下であるか否かを判断するものである。所定の低電流値以上であれば、ステップＳ２に戻る。
【００５３】
ステップＳ１６：
ステップＳ１５で充電電流値が所定低電流値以下である場合（実際には所定低電流値まで低下したとき）、当該低電流値で充電を行う。その後、バッテリが満充電になったら、充電を終了する。このように満充電近くの充電電流を低電流で行うことにより、バッテリの寿命を延ばすことができる。
【００５４】
なお、ステップＳ４〜ステップＳ１２では、許容最高温度Ｔ４を含めて充電器本体温度のしきい値として４つの温度Ｔ１〜Ｔ４を設けたが、このしきい値の数は適宜変更可能である。
【００５５】
図７はこの発明に係る急速充電方法に用いる充電器の概略構成図である。
【００５６】
この発明に係る急速充電方法に用いる充電器は、入力端子２と、出力端子３とを備えた充電器本体１からなる。入力端子２と出力端子３は、トランス４を介して接続される。トランス４の一次側には、フィルタ回路５、ＡＣ／ＤＣ変換回路６、コンデンサ７ａ、７ｂ、抵抗部材８ａ、８ｂ、スイッチング回路９が備わる。トランス４の二次側には、整流回路１０、平滑回路１１、出力回路１２が備わる。一方で、充電器本体１内には、内部電源回路１３と、電流電圧制御回路１４、ＣＰＵ１５が備わる。充電すべきバッテリ（図示省略）は、出力端子３に接続される。
【００５７】
バッテリに対して充電を行う場合、入力端子２からの供給電源は、フィルタ回路５を通ってノイズを除去され、電流は２個配設されたコンデンサ７ａ，７ｂに対し、交互に蓄電される。このとき、グランド側はＡＣ／ＤＣ変換回路６を通るので、コンデンサ７ａ，７ｂに蓄電される電流は直流となっている。コンデンサ７ａ，７ｂに蓄電された電流は、トランス４の一次巻線の中点に流れる。
【００５８】
一方で、入力端子２からの供給電源は、内部電源回路１３にも供給される。内部電源回路１３は、充電器本体１内の電源を確保するためのものであり、スイッチング回路１３、電流電圧制御回路１４、及びＣＰＵ１５と接続される。
【００５９】
スイッチング回路９により、トランス４の中点から所定時間ずつ交互に電流が流される（矢印Ａ方向とＢ方向）。このスイッチング回路９は、ＦＥＴ等のゲート駆動回路であり、ゲートに対し電圧が印加されることにより、トランス４の中点から電流を流す方向を所定時間ごとに切り換えるものである。
【００６０】
上記作用により、電源電圧は、トランス４により充電用の出力電圧に変換され、整流回路１０により整流される。このようにして整流された電圧は、平滑回路１１により平滑され、出力回路１２から出力端子３を介してバッテリに充電される。このとき、電流電圧制御回路１４を介して、ＣＰＵ１５にて出力端子３に接続されたバッテリの電圧をみながら、充電量を判断する。この電流電圧制御回路１４は、出力端子３に対する電圧や電流を制御するための制御回路であり、この電流電圧制御回路１４の制御は、ＣＰＵ１５により行われる。
【００６１】
スイッチング回路９には温度検知装置１６が取り付けられる。この温度検知装置１６で、充電器本体１の温度を検知し、この検知結果を上述した急速充電方法に用いる。温度検知装置１６は、例えば、スイッチング回路９を構成する各素子や、整流ダイオード、ブリッジダイオード、トランス、チョークコイル、ラインフィルタ等の発熱部品の表面、あるいはその周辺、あるいはこれらを覆うケースの表面に取り付けてもよい。いずれの箇所の温度を測定しても、検知された温度をもとにして電流値を制御し、上記急速充電方法により充電時間の短縮を図ることができる。特に、最も発熱しやすい箇所に温度検知装置を取り付ければ、より確実に充電器本体の温度上昇による破損を防止することができる。
【図面の簡単な説明】
【００６２】
【図１】この発明に係るバッテリ充電方法を用いて充電を行ったときの例を示し、（Ａ）は充電器本体の温度と時間、（Ｂ）は充電電流値と時間との関係を示すグラフ図である。
【図２】この発明に係るバッテリ充電方法を用いて充電を行ったときの別の例を示し、（Ａ）は充電器本体の温度と時間、（Ｂ）は充電電流値と時間との関係を示すグラフ図である。
【図３】この発明に係るバッテリ充電方法を用いて充電を行ったときのさらに別の例を示し、（Ａ）は充電器本体の温度と時間、（Ｂ）は充電電流値と時間との関係を示すグラフ図である。
【図４】この発明に係るバッテリ充電方法を用いて充電を行ったときのさらに別の例を示し、（Ａ）は充電器本体の温度と時間、（Ｂ）は充電電流値と時間との関係を示すグラフ図である。
【図５】この発明に係るバッテリ充電方法を用いて充電を行ったときのさらに別の例を示し、（Ａ）は充電器本体の温度と時間、（Ｂ）は充電電流値と時間との関係を示すグラフ図である。
【図６】この発明に係る急速充電方法のフローチャートである。
【図７】この発明に係る急速充電方法に用いる充電器の概略構成図である。
【図８】従来のバッテリ充電方法における（Ａ）は充電器本体の温度と時間、（Ｂ）は充電電流値と時間との関係を示すグラフ図である。
【符号の説明】
【００６３】
１：充電器本体、２：入力端子、３：出力端子、４：トランス、５：フィルタ回路、６：ＡＣ／ＤＣ変換回路、７ａ，７ｂ：コンデンサ、８ａ，８ｂ：抵抗部材、９：スイッチング回路、１０：整流回路、１１：平滑回路、１２：出力回路、１３：内部電源回路、１４：電流電圧制御回路、１５：ＣＰＵ、１６：温度検知装置
【図１】
0005064244.tif 000002
【図２】
0005064244.tif 000003
【図３】
0005064244.tif 000004
【図４】
0005064244.tif 000005
【図５】
0005064244.tif 000006
【図６】
0005064244.tif 000007
【図７】
0005064244.tif 000008
【図８】
0005064244.tif 000009